(57)【要約】【課題】給紙カセットに収容された用紙を任意の位置で機械的かつ安定的に固定する。【解決手段】給紙カセット１０は、カセット本体１１０の底面部１１１に第１のギア部としてラック部１１３を備える。用紙ガイド部材１３０には固定部材１５０が備えられ、固定部材１５０は前記第１のギア部にかみ合う第２のギア部としてピニオン部１５１を備える。ピニオン部１５１の回転方向は一方向に規制されており、ラック部１１３とピニオン部１５１とがかみ合った状態で用紙ガイド部材１３０は任意の位置に固定される。【選択図】図２
2020147399.tif 000002
【特許請求の範囲】
【請求項１】
用紙を収容するカセット本体と、
前記カセット本体内で前記用紙の大きさに応じて移動可能な用紙ガイド部材と、
前記用紙ガイド部材を固定する固定部材とを有する給紙カセットであって、
前記カセット本体は、底面部に第１のギア部を備え、
前記固定部材は、前記第１のギア部にかみ合う第２のギア部を備え、
前記カセット本体の第１のギア部と前記固定部材の第２のギア部とがかみ合った状態で、前記用紙ガイド部材の移動方向が一方向に規制されていることを特徴とする給紙カセット。
【請求項２】
請求項１に記載の給紙カセットにおいて、
前記第１のギア部として、前記カセット本体の底面部には前記用紙ガイド部材の移動方向に沿って延びるラック部が設けられ、
前記第２のギア部として、前記固定部材には前記ラック部にかみ合って回転するピニオン部が設けられ、
前記ピニオン部の回転方向は一方向に規制されていることを特徴とする給紙カセット。
【請求項３】
請求項２に記載の給紙カセットにおいて、
前記固定部材には、前記ピニオン部の回転方向を一方向に規制するクラッチが設けられていることを特徴とする給紙カセット。
【請求項４】
請求項２または３に記載の給紙カセットにおいて、
前記固定部材は、前記ラック部から前記ピニオン部を離脱させる操作部と、前記操作部に接続されて前記ピニオン部の回転軸を支持するアーム部とを備えることを特徴とする給紙カセット。
【請求項５】
請求項２〜４のいずれか１つの請求項に記載の給紙カセットにおいて、
前記固定部材は、前記用紙ガイド部材に付勢部材を介して接続されて、前記ピニオン部は前記ラック部に係合する方向に付勢されていることを特徴とする給紙カセット。
【請求項６】
請求項１〜５のいずれか１つの請求項に記載の給紙カセットにおいて、
前記用紙ガイド部材は、前記用紙の幅方向に沿って移動可能に備えられていることを特徴とする給紙カセット。
【請求項７】
請求項１〜６のいずれか１つの請求項に記載の給紙カセットを備えることを特徴とする画像形成装置。
【発明の詳細な説明】
【技術分野】
【０００１】
本発明は、給紙カセット、およびその給紙カセットを備える画像形成装置に関する。
【背景技術】
【０００２】
画像形成装置には、用紙を多数枚積載して収容するとともに、画像形成動作に応じて画像形成部へ用紙を１枚ずつ分離して搬送する給紙カセットが備えられている。給紙カセットでは、収容された用紙のずれを防止して適正な方向へ給紙する必要性があることから、用紙規制機構が設けられたものもある。
【０００３】
例えば、特許文献１には、給紙カセットの用紙規制機構として、所定幅のスリットが形成された規制ガイド板と、用紙が当接する上部板状部と、前記スリットに容易に移動可能となるように嵌め合わされた下部被ガイド部と、前記規制ガイド板上に回転可能に当接されたローラとを備えたものが開示されている。また、前記上部板状部を任意の場所で固定するために、前記規制ガイド板に面接触するゴム製の滑り止め部材を備えさせることが提案されている。
【先行技術文献】
【特許文献】
【０００４】
【特許文献１】特開平７−２０６１７２号公報
【発明の概要】
【発明が解決しようとする課題】
【０００５】
前記従来の給紙カセットに備えられた用紙規制機構では、用紙規制板を任意の位置に固定できるとはいえ、ゴム製の滑り止め部材による固定では用紙規制板を固定する強度が弱く、滑り止め部材の経年変化によって徐々にその強度が劣化する可能性もある。そのため、長期間にわたって使用するにつれて、収容された用紙を任意の位置に固定して適正な方向へ給紙することが困難となるおそれがあった。
【０００６】
また、この種の用紙規制機構として、ギアのかみ合いによって機械的に用紙規制板を固定する例もあるが、用紙規制板の固定位置はギアのピッチに依存するものであったことから、用紙との間に隙間を設けることなく任意の位置に用紙規制板を固定することが困難であった。
【０００７】
本発明は、前記従来の問題点にかんがみてなされたものであり、その目的とするところは、収容された用紙を任意の位置で機械的かつ安定的に固定して、長期間にわたり適正な方向へ給紙することを可能にする給紙カセットおよびその給紙カセットを備える画像形成装置を提供することにある。
【課題を解決するための手段】
【０００８】
前記の目的を達成するための本発明の解決手段は、用紙を収容するカセット本体と、前記カセット本体内で前記用紙の大きさに応じて移動可能な用紙ガイド部材と、前記用紙ガイド部材を固定する固定部材とを有する給紙カセットを前提とし、前記カセット本体は底面部に第１のギア部を備え、前記固定部材は前記第１のギア部にかみ合う第２のギア部を備え、前記カセット本体の第１のギア部と前記固定部材の第２のギア部とがかみ合った状態で、前記用紙ガイド部材の移動方向が一方向に規制されていることを特徴としている。
【０００９】
この特定事項により、前記カセット本体内で用紙の大きさに応じた任意の位置に移動された前記用紙ガイド部材は、前記第１のギア部と前記第２のギア部とがかみ合った状態で、その移動方向とは反対方向の移動が規制されたものとなるので、前記用紙を適正位置に安定的に保持するとともに適正な方向へ給紙することが可能となる。
【００１０】
前記給紙カセットにおける、より具体的な構成として次のものが挙げられる。すなわち、前記給紙カセットにおいては、前記第１のギア部として、前記カセット本体の底面部には前記用紙ガイド部材の移動方向に沿って延びるラック部が設けられ、前記第２のギア部として、前記固定部材には前記ラック部にかみ合って回転するピニオン部が設けられ、前記ピニオン部の回転方向は一方向に規制された構成であることが好ましい。
【００１１】
これにより、前記カセット本体内で、前記用紙ガイド部材を任意の位置に移動させることが可能であるとともに、その移動後の前記用紙ガイド部材を位置ずれすることなく安定的に固定することができる。
【００１２】
また、前記構成の給紙カセットにおいて、前記固定部材には、前記ピニオン部の回転方向を一方向に規制するクラッチが設けられていることが好ましい。これにより、前記ピニオン部の回転方向を一方向に規制して、前記用紙ガイド部材を安定的に固定することができる。
【００１３】
また、前記構成の給紙カセットにおいて、前記固定部材は、前記ラック部から前記ピニオン部を離脱させる操作部と、前記操作部に接続されて前記ピニオン部の回転軸を支持するアーム部とを備えることが好ましい。これにより、前記操作部を操作して、前記用紙ガイド部材の固定状態を容易に解除することが可能となる。
【００１４】
また、前記構成の給紙カセットにおいて、前記固定部材は、前記用紙ガイド部材に付勢部材を介して接続されて、前記ピニオン部は前記ラック部に係合する方向に付勢されていることが好ましい。これにより、前記ピニオン部と前記ラック部との係合強度を高めて、前記用紙ガイド部材を安定的に固定することが可能となる。
【００１５】
また、前記構成の給紙カセットにおいて、前記用紙ガイド部材は、前記用紙の幅方向に沿って移動可能に備えられていることが好ましい。これにより、前記カセット本体内で、前記用紙を幅方向の任意の位置に保持することができ、給紙不良を防ぐことが可能となる。
【００１６】
また、前記の各解決手段に係る給紙カセットを備える画像形成装置も本発明の技術的思想の範疇である。これにより、前記給紙カセットに収容された用紙を任意の位置で機械的かつ安定的に固定し得て、長期間にわたって用紙を適正な方向へ給紙することが可能な画像形成装置とすることができる。
【発明の効果】
【００１７】
本発明よれば、給紙カセットに収容された用紙を任意の位置で機械的かつ安定的に固定することができ、長期間にわたり適正な方向へ給紙することが可能なものとなる。
【図面の簡単な説明】
【００１８】
【図１】本発明の実施形態に係る給紙カセットを備えた画像形成装置を示す概略断面図である。
【図２】本発明の実施形態に係る給紙カセットの一部を示す断面説明図である。
【図３】前記給紙カセットにおける操作時を示す断面説明図である。
【図４】前記給紙カセットの全体構成の一例を示す斜視図である。
【発明を実施するための形態】
【００１９】
以下、本発明の実施形態に係る給紙カセット１０、および給紙カセット１０を備える画像形成装置１について、図面を参照しつつ説明する。
【００２０】
（画像形成装置）
図１は、本発明の実施形態に係る給紙カセット１０を備えた画像形成装置１を示す概略断面図である。
【００２１】
画像形成装置１は、露光装置１１、現像装置１２、感光体ドラム１３、クリーナ装置１４、帯電器１５、中間転写ベルト装置１６、定着装置１７、給紙カセット１０、排紙トレイ１９、および用紙搬送経路Ｓを備える構成とされており、外部から伝達された画像データに応じて、所定の用紙に対して多色および単色の画像を形成する。
【００２２】
画像形成装置１において扱われる画像データは、ブラック（Ｋ）、シアン（Ｃ）、マゼンタ（Ｍ）、イエロー（Ｙ）の各色を用いたカラー画像に応じたものである。したがって、現像装置１２、感光体ドラム１３、クリーナ装置１４、帯電器１５は、各色に応じた４種類の潜像を形成するようにそれぞれ４個ずつ設けられ、それぞれブラック、シアン、マゼンタ、イエローに設定され、これらによって４つの画像ステーションＰａ、Ｐｂ、Ｐｃ、Ｐｄが構成されている。
【００２３】
感光体ドラム１３は、画像形成装置１の略中央に配置されている。帯電器１５は、感光体ドラム１３の表面を所定の電位に均一に帯電させる。露光装置１１は、感光体ドラム１３の表面を露光して静電潜像を形成する。現像装置１２は、感光体ドラム１３の表面の静電潜像を現像して、感光体ドラム１３の表面にトナー像を形成する。
【００２４】
前記一連の動作によって、各感光体ドラム１３の表面に各色のトナー像が形成される。クリーナ装置１４は、現像および画像転写の後に感光体ドラム１３の表面の残留トナーを除去および回収する。本実施の形態では、感光体ドラム１３近傍が画像形成部に相当する。なお、現像装置１２の周辺の構造については、後述する図２を参照して、詳細に説明する。
【００２５】
中間転写ベルト装置１６は、感光体ドラム１３の上側に配置され、中間転写ベルト２１、中間転写ベルト駆動ローラ２２、中間転写ベルト従動ローラ２３、中間転写ローラ２４、および中間転写ベルトクリーニング装置２５を備えている。なお、中間転写ローラ２４は、ＹＭＣＫ用の各色の画像ステーションに対応して４本設けられている。
【００２６】
中間転写ベルト駆動ローラ２２、中間転写ベルト従動ローラ２３、および中間転写ローラ２４は、中間転写ベルト２１を張架して、中間転写ベルト２１の表面を所定方向（図中矢符Ｃ方向）に移動させるように構成されている。
【００２７】
中間転写ベルト２１は、矢符Ｃの方向へ周回移動し、中間転写ベルトクリーニング装置２５によって残留トナーを除去および回収され、各感光体ドラム１３の表面に形成された各色のトナー像が順次転写して重ね合わされて、中間転写ベルト２１の表面にカラーのトナー像が形成される。
【００２８】
画像形成装置１は、転写ローラ２６ａを含む２次転写装置２６をさらに備えている。転写ローラ２６ａは、中間転写ベルト２１との間にニップ域が形成されており、用紙搬送経路Ｓを通じて搬送されて来た用紙２００をニップ域に挟み込んで搬送する。用紙２００には、ニップ域を通過する際に、中間転写ベルト２１の表面のトナー像が転写される。
【００２９】
用紙搬送経路Ｓは、Ｓ字状に設けられた主経路Ｓ１と、主経路Ｓ１の途中で分岐して再合流する反転経路Ｓ２とを備え、主経路Ｓ１に沿って、ピックアップローラ３１、レジスト前ローラ３３、レジストローラ３２、２次転写装置２６、定着装置１７、および排紙ローラ３４が配置されている。反転経路Ｓ２は、定着装置１７と排紙ローラ３４との間から分岐し、複数の搬送ローラ３５を経由してレジスト前ローラ３３とレジストローラ３２との間に再合流する。
【００３０】
用紙２００は、給紙カセット１０に収容されている。ピックアップローラ３１は、用紙搬送経路Ｓに用紙２００を１枚ずつ供給する呼び込むローラである。レジストローラ３２は、搬送されてくる用紙２００を一旦保持し、感光体ドラム１３上のトナー像の先端と用紙２００の先端とを合わせるタイミングで、用紙２００を転写ローラ２６ａへ搬送する。レジスト前ローラ３３は、用紙２００の搬送を促進補助するための小型のローラである。
【００３１】
定着装置１７は、ベルト定着方式とされており、定着ローラ４１および加熱ローラ４３に定着ベルト４４が巻き掛けられている。定着ローラ４１は、定着ベルト４４を介して加圧ローラ４２が押圧される。定着装置１７では、未定着のトナー像が形成された用紙２００を受け取り、加圧ローラ４２と定着ベルト４４との間に挟み込んで搬送する。定着後の用紙２００は、排紙ローラ３４によって排紙トレイ１９上に排出される。
【００３２】
用紙２００の表面だけでなく、裏面に画像形成を行う場合は、用紙２００を排紙ローラ３４から反転経路Ｓ２へと逆方向に搬送して、用紙２００の表裏を反転させ、用紙２００をレジストローラ３２へと再度導き、表面と同様にして裏面に画像形成を行い、用紙２００を排紙トレイ１９へと搬出するよう構成されている。
【００３３】
（給紙カセット）
次に、画像形成装置１に備えられた給紙カセット１０の構成について説明する。図２および図３は、実施形態に係る給紙カセット１０の要部を示す断面説明図であり、図４は、給紙カセット１０の全体構成の一例を示す斜視図である。
【００３４】
例示の形態では、給紙カセット１０は、画像形成装置１における露光装置１１の下側に設けられ、画像形成に使用する用紙２００を積載して収容している。給紙カセット１０は、図１に示す画像形成装置１に対して紙面に垂直方向に挿入される。給紙カセット１０の用紙２００は、図１および図４に矢符Ａにて示す給紙方向に搬送される。以下の説明では、用紙２００の給紙方向Ａに対して、直交する方向を用紙２００の幅方向Ｂとし、用紙２００における給紙方向Ａの上流側の端部を用紙２００の後端として説明する。
【００３５】
給紙カセット１０は、図４に示すように、用紙２００を収容するカセット本体１１０と、用紙２００が載置される面を構成する用紙積載板１２０と、用紙２００の幅方向Ｂの位置決めを行う一対の用紙ガイド部材１３０とを有する。
【００３６】
カセット本体１１０は、底面部１１１と、底面部１１１の四方の周縁部に立設された壁部１１２とを備えて、給紙カセット１０のハウジング（筐体）を構成している。
【００３７】
用紙積載板１２０は、カセット本体１１０の底面部１１１に設けられ、その下方に例えば圧縮コイルバネなどの図示しない弾性部材を備えている。図１に示すように、用紙積載板１２０は、給紙方向Ａの上流側に位置する揺動軸の中心１２１を支点として揺動可能に設けられている。用紙積載板１２０は、前記弾性部材によって、給紙方向Ａの下流側の部分がカセット本体１１０の底面部１１１に対して上下に昇降される。
【００３８】
図４に示すように、一対の用紙ガイド部材１３０は、用紙積載板１２０の幅方向Ｂの両側に配設されている。これらの用紙ガイド部材１３０は、用紙２００の幅方向Ｂに沿って移動可能に設けられている。
【００３９】
用紙ガイド部材１３０は、カセット本体１１０の底面部１１１に、幅方向Ｂに設けられたレール部１１４に沿って移動可能とされている。用紙２００を収容する際には、ピックアップローラ３１による給紙が円滑に行われるように、用紙ガイド部材１３０を、用紙２００の大きさに応じて、幅方向Ｂに移動させる。
【００４０】
図２に示すように、用紙ガイド部材１３０は、カセット本体１１０の底面部１１１に対して垂直方向に立設される側面部１３１と、側面部１３１に直交するように設けられる摺動部１３２とを備えて、断面略Ｌ字状に形成されていることが好ましい。側面部１３１は、幅方向Ｂの内側Ｂ１の面に用紙２００の端部が当接し、用紙２００の位置を規制するものとなる。
【００４１】
図１に示される後端ガイド部材１４０は、カセット本体１１０の底面部１１１に沿って給紙方向Ａへ移動可能に設けられて、用紙２００の後端を整合する。カセット本体１１０において、用紙ガイド部材１３０と後端ガイド部材１４０とによって囲まれる領域は、給紙カセット１０における用紙収容空間となり、多数の用紙２００が積載される。なお、後端ガイド部材１４０は給紙カセット１０に必ずしも設けられなくともよい。
【００４２】
給紙カセット１０は、用紙２００の幅方向Ｂの中央を基準として用紙２００を収容するように構成されている。そのため、一対の用紙ガイド部材１３０は、レール部１１４に沿って、互いに同期して近接する方向または離間する方向に移動可能とされている。このような用紙ガイド部材１３０は、レール部１１４に備えられた図示しないスライド機構によって互いに移動可能に支持されている。
【００４３】
本実施形態に係る給紙カセット１０では、カセット本体１１０の底面部１１１に、第１のギア部としてラック部１１３が設けられている。ラック部１１３は、用紙ガイド部材１３０の移動方向である幅方向Ｂに延びるように配設されている。ラック部１１３には、幅方向Ｂに直交する方向（給紙方向Ａと平行）に延びる、多数のラック歯が形成されている。
【００４４】
用紙ガイド部材１３０には、ラック部１１３に対して用紙ガイド部材１３０を任意の位置で固定する固定部材１５０が添設されている。一対の用紙ガイド部材１３０は、幅方向Ｂに沿って互いに近接する方向または離間する方向へ、同期して移動可能であることから、一方の用紙ガイド部材１３０にのみ固定部材１５０が備えられている。
【００４５】
図２に示すように、固定部材１５０は、一方の用紙ガイド部材１３０の側面部１３１における、幅方向Ｂの外側Ｂ２の面に添設されている。この固定部材１５０は、第２のギア部としてのピニオン部１５１と、ピニオン部１５１を操作可能な操作部１５２と、ピニオン部１５１を支持するアーム部１５３とを備えている。
【００４６】
ピニオン部１５１は、ラック部１１３にかみ合って回転するギアである。ピニオン部１５１は、クラッチ１５４を備えており、その回転方向が一方向に規制されている。この場合、ピニオン部１５１は、図２に示す矢符Ｘ方向の一方向にのみ回転するように設けられている。
【００４７】
操作部１５２は、固定部材１５０における上部に設けられ、ラック部１１３からピニオン部１５１を離脱させる際に操作される。アーム部１５３は、操作部１５２の下部に一体に設けられ、底面部１１１へ向けて延設されている。アーム部１５３の下端には、ピニオン部１５１の回転軸が支持されている。
【００４８】
固定部材１５０は、用紙ガイド部材１３０の側面部１３１に対して回動可能に支持されている。例示の形態では、アーム部１５３と操作部１５２との接続部が、用紙ガイド部材１３０の側面部１３１に回動可能に支持されている。
【００４９】
ピニオン部１５１は、クラッチ１５４を備えることで、その回転方向が一方向に規制されたワンウェイギアとなされている。この場合、ピニオン部１５１は、図２に示す矢符Ｘの反対方向には回転が規制されている。これによって、ピニオン部１５１は、ラック部１１３にかみ合って矢符Ｘ方向に回転し、用紙ガイド部材１３０が幅方向Ｂの内側Ｂ１へ移動するのを許容する。反対に、ピニオン部１５１は、用紙ガイド部材１３０が幅方向Ｂの外側Ｂ２へ移動するのを規制して、用紙ガイド部材１３０を任意の位置に固定する。
【００５０】
具体的には、図２に示すように、用紙ガイド部材１３０は、側面部１３１をカセット本体１１０内で幅方向Ｂの内側Ｂ１の方向へ移動させることは可能であって、用紙２００の端部に当接するよう容易に移動させることができる。用紙ガイド部材１３０の移動に伴って、ピニオン部１５１はラック部１１３にかみ合って矢符Ｘ方向に回転する。このとき、ピニオン部１５１はワンウェイギアであるので、用紙ガイド部材１３０の移動を幅方向Ｂの任意の位置で止めることが可能である。
【００５１】
一対の用紙ガイド部材１３０は、ピニオン部１５１の回転に応じた長さ分だけ、幅方向Ｂの内側Ｂ１へ移動し、互いに近接するものとなる。また、用紙ガイド部材１３０は、幅方向Ｂの外側Ｂ２への移動が規制されているので、互いに離間する方向へは動かない状態となる。したがって、一対の用紙ガイド部材１３０は、位置ずれすることなく用紙２００を適正位置に保持した状態で固定され、給紙方向Ａに送ることができる。
【００５２】
操作部１５２は、付勢部材１５５を介して用紙ガイド部材１３０に接続されている。付勢部材１５５は、圧縮コイルバネにより構成され、操作部１５２と用紙ガイド部材１３０の側面部１３１との間に配置されている。これにより、操作部１５２は、ピニオン部１５１がラック部１１３に係合する方向（図２における矢符Ｙ１方向）に付勢されている。
【００５３】
図３に示すように、操作部１５２は、付勢部材１５５の付勢力に抗して押圧されることで、矢符Ｙ２方向に傾斜する。これにより、アーム部１５３は上方へ持ち上げられ、ピニオン部１５１とラック部１１３との係合が解除される。この状態で、用紙ガイド部材１３０は、幅方向Ｂの外側Ｂ２へ移動可能となされる。給紙カセット１０へ用紙２００を補充する際には、一対の用紙ガイド部材１３０を互いに離間させて、用紙２００を容易に収容することができる。
【００５４】
ピニオン部１５１とラック部１１３との係合は、図２に示すように、操作部１５２が付勢部材１５５によって矢符Ｙ１方向に付勢されていることによって、ピニオン部１５１がラック部１１３に押圧されて、強固なものとされている。そのため、用紙ガイド部材１３０を幅方向Ｂの内側Ｂ１方向へ移動させた後には、ピニオン部１５１とラック部１１３との係合によって、用紙ガイド部材１３０が用紙２００の端部に当接した状態で固定される。ピックアップローラ３１は、用紙２００に対して安定した状態でニップすることが可能となり、給紙不良を生じることなく、円滑に用紙２００を供給することができる（図１参照）。
【００５５】
ここで、仮に、一方の用紙ガイド部材１３０と用紙２００との隙間が僅か１ｍｍであったとしても、一対の用紙ガイド部材１３０では、用紙２００の幅方向Ｂの両側に合わせて２ｍｍの隙間が形成されることとなる。そのため、用紙２００が斜めに供給されるなどの給紙不良を生じる要因になることが考えられる。
【００５６】
これに対して、本実施形態に係る給紙カセット１０では、ピニオン部１５１はワンウェイギアであることから、ラック部１１３に対してどのようなかみ合い位置にあっても固定することが可能である。そのため、ラック部１１３のラック歯のピッチにかかわらず、ピニオン部１５１を任意の位置で固定することができ、用紙２００に対して隙間を形成することなく側面部１３１を配置することができる。したがって、一対の用紙ガイド部材１３０を、用紙２００の大きさに合わせて精度よく固定することができ、給紙不良を生じることなく適正に給紙することが可能となる。
【００５７】
給紙カセット１０を備えた画像形成装置１では、用紙ガイド部材１３０によって用紙２００の幅方向Ｂの両端が高精度に位置決めされた状態で用紙２００が収容されていることから、最上部の用紙２００の先端（後端に対向する側の端部）を、ピックアップローラ３１に精度よく当接させることができ、適正な方向へ安定的に給紙することが可能となる。
【００５８】
（他の実施形態）
前記実施形態に係る給紙カセット１０においては、カセット本体１１０に第１のギアとしてラック部１１３を設け、固定部材１５０に第２のギアとしてピニオン部１５１を設けた例を示したが、本発明に係る給紙カセット１０はこれに限られるものではない。すなわち、例えば、給紙カセット１０は、カセット本体１１０における第１のギアとして回転するピニオン部を設け、これに係合する第２のギアとして固定部材１５０にラック部を設けた構成とされてもよい。この場合、さらに、カセット本体１１０の底面部１１１に対して、第１のギアであるピニオン部１５１が上下方向に昇降するように構成されてもよい。
【００５９】
また、前記実施形態では画像形成装置１における給紙カセット１０の着脱方向が、給紙方向Ａと直交する方向である例について示したが、本発明はこれに限られず、給紙方向Ａと平行な方向に着脱される構成であってもよい。固定部材１５０が適用される用紙ガイド部材１３０は、幅方向Ｂに移動可能な構成であるに限られず、給紙方向Ａに移動可能な構成であってもよい。給紙カセット１０を備える画像形成装置１にあっても、前記実施形態はその一例であって、給紙カセット１０の他の各部構成など、どのように構成されていてもよい。そのため、前記実施形態は例示であって、限定的なものではない。
【００６０】
なお、本発明は、請求項に示される範囲で種々の変更が可能であり、異なる実施形態に開示された技術的手段を適宜組み合わせて得られる実施形態についても本発明の技術的範囲に含まれる。
【符号の説明】
【００６１】
１    画像形成装置
１１    露光装置
１２    現像装置
１３    感光体ドラム
１６    中間転写ベルト装置
１７    定着装置
１０    給紙カセット
１１０  カセット本体
１１１  底面部
１１３  ラック部（第１のギア部）
１１４  レール部
１２０  用紙積載板
１３０  用紙ガイド部材
１４０  後端ガイド部材
１５０  固定部材
１５１  ピニオン部（第２のギア部）
１５２  操作部
１５３  アーム部
１５４  クラッチ
１５５  付勢部材
２００  用紙
【図１】
2020147399.tif 000003
【図２】
2020147399.tif 000004
【図３】
2020147399.tif 000005
【図４】
2020147399.tif 000006